(57)【要約】【課題】個人の所在を管理する管理者の負担を軽減する。【解決手段】所在情報管理装置１００は、所在情報生成手段１０１、記憶手段１０５、所在情報分散管理手段１０２、所在情報提供手段１０３を備える。所在情報生成手段１０１は、複数の個人の所在をそれぞれ示す複数の所在情報１２０を生成する。記憶手段１０５は、複数の送信先２０１〜２０３を登録した管理者用テーブル１１０と、複数の所在情報１２０とを格納する。所在情報分散管理手段１０２は、管理者用テーブル１１０に基づいて、複数の所在情報１２０を複数の送信先２０１〜２０３に振り分ける。所在情報提供手段１０３は、複数の所在情報１２０を複数の送信先２０１〜２０３に送信する。複数の所在情報１２０のそれぞれにおいて、個人の個人情報１２１とその個人の所在を示す情報１２２とが対応付けられている。【選択図】図１
2014131242.tif 000002
【特許請求の範囲】
【請求項１】
複数の個人の所在をそれぞれ示す複数の所在情報を生成する所在情報生成手段と、
複数の送信先を登録した管理者用テーブルと、前記複数の所在情報とを格納する記憶手段と、
前記管理者用テーブルに基づいて、前記複数の所在情報を前記複数の送信先に振り分ける所在情報分散管理手段と、
前記複数の所在情報を前記複数の送信先に送信する所在情報提供手段と
を具備し、
前記複数の所在情報のそれぞれにおいて、個人の個人情報とその個人の所在を示す情報とが対応付けられている
所在情報管理装置。
【請求項２】
請求項１に記載の所在情報管理装置であって、
前記記憶手段は、
個人の個人情報及び行動パターンを互いに対応付けた個人別行動パターンと、
個人の動作情報を検出するセンサ群の設置場所情報と
を格納し、
前記所在情報生成手段は、
前記動作情報及び前記個人別行動パターンに基づいて、前記動作情報が検出された前記個人に対応する個人情報を特定し、
前記設置場所情報に基づいて、前記動作情報が検出された前記個人の所在を特定し、
前記所在情報分散管理手段は、
前記センサ群によって動作情報が検出される個人別頻度に基づいて、前記複数の所在情報を前記複数の送信先に振り分ける
所在情報管理装置。
【請求項３】
請求項１に記載の所在情報管理装置であって、
前記記憶手段は、
個人の個人情報とその個人の行動パターンとを対応付けた個人別行動パターンと、
個人の動作情報を検出するセンサ群の設置場所情報と
を格納し、
前記所在情報生成手段は、
前記動作情報及び前記個人別行動パターンに基づいて、前記動作情報が検出された前記個人に対応する個人情報を特定し、
前記設置場所情報に基づいて、前記動作情報が検出された前記個人の所在を特定し、
前記所在情報分散管理手段は、
前記センサ群の設置場所と前記複数の送信先との対応関係に基づいて、前記複数の所在情報を前記複数の送信先に振り分ける
所在情報管理装置。
【請求項４】
請求項１乃至３のいずれか１項に記載の所在情報管理装置であって、
前記複数の送信先は、複数の端末であり、
前記複数の端末との接続を管理する接続管理手段を更に具備し、
前記複数の端末は、第１端末を含み、
前記管理者用テーブルは、予備端末を登録し、
前記接続管理手段が前記第１端末との接続が切断したことを検知した場合、前記所在情報分散管理手段は、前記複数の所在情報を前記複数の端末から前記第１端末を除いた残りと前記予備端末に振り分け、
前記所在情報提供手段は、前記複数の所在情報を前記前記複数の端末から前記第１端末を除いた残りと前記予備端末に送信する
所在情報管理装置。
【請求項５】
複数の個人の所在をそれぞれ示す複数の所在情報を生成する所在情報生成手段と、
複数の送信先を登録した管理者用テーブルと、前記複数の所在情報とを格納する記憶手段と、
前記管理者用テーブルに基づいて、前記複数の所在情報を前記複数の送信先に振り分ける所在情報分散管理手段と、
前記複数の所在情報を前記複数の送信先に送信する所在情報提供手段と
を具備し、
前記複数の所在情報のそれぞれにおいて、個人の個人情報とその個人の所在を示す情報とが対応付けられている
ホームゲートウェイ装置。
【請求項６】
複数の個人の所在をそれぞれ示す複数の所在情報を生成し、
複数の送信先を登録した管理者用テーブルに基づいて、前記複数の所在情報を前記複数の送信先に振り分け、
前記複数の所在情報を前記複数の送信先に送信し、
前記複数の所在情報のそれぞれにおいて、個人の個人情報とその個人の所在を示す情報とが対応付けられている
所在情報管理方法。
【請求項７】
請求項６に記載の所在情報管理方法であって、
前記複数の所在情報を生成することにおいて、
センサ群によって検出された個人の動作情報と、個人の個人情報及び行動パターンを互いに対応付けた個人別行動パターンとに基づいて、前記動作情報が検出された前記個人に対応する個人情報を特定し、
前記センサ群の設置場所情報に基づいて、前記動作情報が検出された前記個人の所在を特定し、
前記複数の所在情報を前記複数の送信先に振り分けることにおいて、
前記センサ群によって動作情報が検出される個人別頻度に基づいて、前記複数の所在情報を前記複数の送信先に振り分ける
所在情報管理方法。
【請求項８】
請求項６に記載の所在情報管理方法であって、
前記複数の所在情報を生成することにおいて、
センサ群によって検出された個人の動作情報と、個人の個人情報及び行動パターンを互いに対応付けた個人別行動パターンとに基づいて、前記動作情報が検出された前記個人に対応する個人情報を特定し、
前記センサ群の設置場所情報に基づいて、前記動作情報が検出された前記個人の所在を特定し、
前記複数の所在情報を前記複数の送信先に振り分けることにおいて、
前記センサ群の設置場所と前記複数の送信先との対応関係に基づいて、前記複数の所在情報を前記複数の送信先に振り分ける
所在情報管理方法。
【請求項９】
請求項６乃至８のいずれか１項に記載の所在情報管理方法であって、
前記複数の送信先は、複数の端末であり、
前記複数の端末は、第１端末を含み、
前記管理者用テーブルは、予備端末を登録し、
前記第１端末との接続が切断したことを検知した場合、前記複数の所在情報を前記複数の端末から前記第１端末を除いた残りと前記予備端末に振り分け、
前記複数の所在情報を前記前記複数の端末から前記第１端末を除いた残りと前記予備端末に送信する
所在情報管理方法。
【請求項１０】
複数の個人の所在をそれぞれ示す複数の所在情報を生成し、
複数の送信先を登録した管理者用テーブルに基づいて、前記複数の所在情報を前記複数の送信先に振り分け、
前記複数の所在情報を前記複数の送信先に送信し、
前記複数の所在情報のそれぞれにおいて、個人の個人情報とその個人の所在を示す情報とが対応付けられている
所在情報管理方法をコンピュータに実行させるプログラム。
【発明の詳細な説明】
【技術分野】
【０００１】
本発明は個人の所在を管理するための所在情報管理装置、ゲートウェイ装置、所在情報管理方法、及びプログラムに関する。
【背景技術】
【０００２】
高齢化社会の到来により、老人ホームや医療機関で余生を過ごす老人が増加している。そのような老人は、歩行に障害がなければ、老人ホームや医療機関の内外において自由に移動することができる。会社においても、社員は忙しく移動しながら仕事をしている。このような状況では、個人の所在を管理したいという要求が生じるのは自然である。個人の所在の管理に適用可能な様々な技術が提案されてきた。
【０００３】
特許文献１は、病院、会社、又は、家庭内において、容易、かつ、正確に個人の所在を把握するための個人所在認識システムを開示している。個人所在認識システムは、個人別パターンモデル記憶部と、センサ位置記憶部と、解析部と、認識部とを備える。個人別パターンモデル記憶部は、個人別の行動パターンを予め学習することによって作成された個人別パターンモデルを記憶する。センサ位置記憶部は、被検知者を検知するためのセンサが設置されている場所を示す位置情報を記憶する。解析部は、センサの検知範囲内に存在する被検知者の行動パターンに応じてそのセンサから出力される信号を解析する。認識部は、解析部による解析結果と、個人別パターンモデルと、位置情報とに基づいて、個人の所在を認識する。
【０００４】
特許文献２は、自動的かつ正確に、物または人が特定区域に存在するか否かを管理するためのＩＤタグ装置管理システムを開示している。ＩＤタグ装置管理システムは、例えば、航空旅客荷物の輸送システムに適用される。搭乗時、乗客はカウンターに荷物を預ける際に、受信端末個別の「ＩＤ情報」が設定された携帯可能な受信端末を渡される。乗客が預けた荷物は、上記「ＩＤ情報」が入力されたＩＤタグ装置が装着され、航空機で搬送される。目的地に到着すると、荷物は航空機から降ろされ、ベルトコンベアに載せられる。ベルトコンベア上の所定の区画に荷物が載せられると、荷物に装着されたＩＤタグ装置は、管理装置からＩＤ要求信号を電波で受信する。ＩＤタグ装置は、ＩＤ要求信号に応答して、「ＩＤ情報」を示すＩＤ通知信号を電波で管理装置へ送信する。管理装置は、ＩＤ通知信号を受信すると、ベルトコンベア上の所定の区画を識別し、「ＩＤ情報」に対応する受信端末に所定の区画を示す区画通知信号を電波で送信する。受信端末は、区画通知信号を受信すると、荷物がベルトコンベアの所定の区画に載せられたことを、受信端末を携帯する乗客に対して音、振動、文字表示等で通知する。
【０００５】
特許文献３は、構内における個人の所在場所を即時に知ることができる構内所在管理システムを開示している。構内所在管理システムは、発信機管理テーブルと、フロア管理テーブルと、所在検索部と、所在管理テーブルと、入出力制御部とを備える。発信機管理テーブルは、個人名とその個人が携帯する小型発信機の周波数を管理する。フロア管理テーブルは、小型発信機の受信機を中心とした空間軸の距離で表される発信地点と構内のフロア設備を管理する。所在検索部は、受信した周波数とその発信地点から発信機テーブルとフロア管理テーブルを読み出し、個人名と構内の所在場所を求める。所在管理テーブルは、所在検索部によって求められた個人名と所在場所を管理する。入出力制御部は、個人名を入力し所在管理テーブルから所在場所を求めディスプレイに表示する。
【先行技術文献】
【特許文献】
【０００６】
【特許文献１】特開２００６−１６３６１７号公報
【特許文献２】特開平７−２３０５６３号公報
【特許文献３】特開平５−０６２０８９号公報
【発明の概要】
【発明が解決しようとする課題】
【０００７】
特許文献１乃至３のいずれも、個人の所在の管理を複数の管理者に分散することを開示していない。したがって、特許文献１乃至３に開示された技術では、管理対象となる個人の数が増加すると管理者の負担が増加するという問題があった。
【０００８】
本発明の目的は、このような問題点を解決するため、個人の所在を管理する管理者の負担を軽減することが可能な所在情報管理装置、ゲートウェイ装置、所在情報管理方法、及びプログラムを提供することである。
【課題を解決するための手段】
【０００９】
本発明による所在情報管理装置は、複数の個人の所在をそれぞれ示す複数の所在情報を生成する所在情報生成手段と、複数の送信先を登録した管理者用テーブルと、前記複数の所在情報とを格納する記憶手段と、前記管理者用テーブルに基づいて、前記複数の所在情報を前記複数の送信先に振り分ける所在情報分散管理手段と、前記複数の所在情報を前記複数の送信先に送信する所在情報提供手段とを具備する。前記複数の所在情報のそれぞれにおいて、個人の個人情報とその個人の所在を示す情報とが対応付けられている。
【００１０】
本発明によるホームゲートウェイ装置は、複数の個人の所在をそれぞれ示す複数の所在情報を生成する所在情報生成手段と、複数の送信先を登録した管理者用テーブルと、前記複数の所在情報とを格納する記憶手段と、前記管理者用テーブルに基づいて、前記複数の所在情報を前記複数の送信先に振り分ける所在情報分散管理手段と、前記複数の所在情報を前記複数の送信先に送信する所在情報提供手段とを具備する。前記複数の所在情報のそれぞれにおいて、個人の個人情報とその個人の所在を示す情報とが対応付けられている。
【００１１】
本発明による所在情報管理方法は、複数の個人の所在をそれぞれ示す複数の所在情報を生成し、複数の送信先を登録した管理者用テーブルに基づいて、前記複数の所在情報を前記複数の送信先に振り分け、前記複数の所在情報を前記複数の送信先に送信する。前記複数の所在情報のそれぞれにおいて、個人の個人情報とその個人の所在を示す情報とが対応付けられている。
【００１２】
本発明によるプログラムは、所在情報管理方法をコンピュータに実行させる。所在情報管理方法は、複数の個人の所在をそれぞれ示す複数の所在情報を生成し、複数の送信先を登録した管理者用テーブルに基づいて、前記複数の所在情報を前記複数の送信先に振り分け、前記複数の所在情報を前記複数の送信先に送信する。前記複数の所在情報のそれぞれにおいて、個人の個人情報とその個人の所在を示す情報とが対応付けられている。
【発明の効果】
【００１３】
本発明によれば、個人の所在を管理する管理者の負担を軽減することが可能な所在情報管理装置、ゲートウェイ装置、所在情報管理方法、及びプログラムが提供される。
【図面の簡単な説明】
【００１４】
【図１】実施の形態１にかかる所在情報管理装置の機能ブロック図である。
【図２】実施の形態１にかかる所在情報管理方法を示す動作シーケンス図である
【図３】実施の形態２にかかる所在情報管理システムの概念図である。
【図４】実施の形態２にかかる所在情報管理装置のハードウェア構成を示す概略図である。
【図５】実施の形態２にかかる端末のハードウェア構成を示す概略図である。
【図６】実施の形態２にかかる所在情報管理装置の機能ブロック図である。
【図７】個人別行動パターンのデータ構成を示す。
【図８】センサ設置場所情報のデータ構成を示す。
【図９】実施の形態２にかかる所在情報管理方法を示す動作シーケンス図である。
【図１０】分散管理設定情報の設定画面の一例を示す。
【図１１】管理者端末登録情報の設定画面の一例を示す。
【図１２】管理者端末予備登録情報の設定画面の一例を示す。
【図１３】管理者用テーブルの一例を示す。
【図１４】センサから送信される情報を示す。
【図１５】蓄積情報のデータ構成を示す。
【図１６】所在情報の表示画面の一例を示す。
【図１７】実施の形態２にかかる所在情報管理方法を示す他の動作シーケンス図である。
【図１８】実施の形態３にかかる所在情報管理装置の機能ブロック図である。
【図１９】実施の形態３にかかる端末の機能ブロック図である。
【図２０】実施の形態４にかかる所在情報管理システムの概念図である。
【図２１】実施の形態５にかかる所在情報管理システムの概念図である。
【図２２】実施の形態６にかかる所在情報管理システムの概念図である。
【図２３】ＧＰＳ端末登録情報のデータ構成を示す。
【図２４】位置場所対応情報のデータ構成を示す。
【図２５】実施の形態６にかかる所在情報管理方法を示す動作シーケンス図である。
【図２６】ＧＰＳ端末から出力される情報を示す。
【発明を実施するための形態】
【００１５】
以下、図面を参照して本発明の実施の形態について説明する。
【００１６】
（実施の形態１）
図１を参照して、実施の形態１にかかる所在情報管理装置１００の構成を説明する。所在情報管理装置１００は、所在情報生成部１０１と、所在情報分散管理部１０２と、所在情報提供部１０３と、記憶部１０５とを備える。記憶部１０５は、管理者用テーブル１１０と、複数の所在情報１２０とを格納する。管理者用テーブル１１０は、複数の送信先２０１〜２０３を登録している。複数の所在情報１２０は、複数の個人としての複数の被監視者の所在をそれぞれ示す。所在情報１２０において、被監視者の個人情報１２１とその被監視者の所在を示す場所情報１２２とが対応付けられる。例えば、個人情報１２２は、氏名、写真などの特定の個人を識別できる情報である。
【００１７】
図２を参照して、実施の形態１にかかる所在情報管理方法を説明する。実施の形態１にかかる所在情報管理方法は、ステップＳ１０、Ｓ２０、Ｓ３０を含んでいる。所在情報管理装置１００の記憶部１０５は、管理者用テーブル１１０を格納している。ステップＳ１０において、所在情報生成部１０１は、複数の所在情報１２０を生成する。記憶部１０５は、複数の所在情報１２０を格納する。ステップＳ２０において、所在情報分散管理部１０２は、管理者用テーブル１１０に基づいて、複数の所在情報１２０を複数の送信先２０１〜２０３に振り分ける。ステップＳ３０において、所在情報提供部１０３は、複数の所在情報１２０を複数の送信先２０１〜２０３に送信する。
【００１８】
実施の形態１によれば、複数の所在情報１２０が管理者用テーブル１１０に登録された複数の送信先２０１〜２０３に振り分けられて送信される。したがって、複数の被監視者の所在の管理を送信先２０１〜２０３と同数の管理者で分担することができる。一人の管理者は、複数の所在情報１２０の全部を管理する必要はなく、自身に割り当てられた所在情報１２０のみを管理すればよいので、管理者の負担が軽減される。
【００１９】
実施の形態１によれば、一人の管理者が管理すべき所在情報１２０の数が少なくなるため、特定の被監視者の所在情報１２０を容易に抽出することができる。更に、一人の管理者が管理すべき個人情報１２１の数が少なくなるため、個人情報流出防止の観点からも、管理者の負担が軽減される。更に、実施の形態１によれば、被監視者の人数に応じて所在情報１２０の管理を自動的に分散することができるので、多数の被監視者の所在を効率よく分散管理することができる。更に、個人情報と送信先の組合せが予め固定されていないため、複数の所在情報１２０を複数の送信先２０１〜２０３に振り分ける際の自由度が高い。
【００２０】
所在情報管理装置１００は、ホームゲートウェイ装置であることが好ましい。ホームゲートウェイ装置は、例えば、ブロードバンドルータである。家庭やオフィスに設置されるネットワーク機器であるホームゲートウェイ装置に上述した所在情報管理機能を持たせることで、複数の所在情報１２０を複数の送信先２０１〜２０３に送信することが容易である。所在情報管理装置１００は、プログラムに基づいて動作するコンピュータであってもよい。
【００２１】
（実施の形態２）
次に、実施の形態２にかかる所在情報管理装置１００及び所在情報管理方法を説明する。以下において、実施の形態１と共通する事項についての説明を省略する。ところで、以下の説明において、実施の形態２にかかる所在情報管理装置１００はホームゲートウェイ装置である。しかし、実施の形態２にかかる所在情報管理装置１００は、コンピュータであってもよい。
【００２２】
図３を参照して、実施の形態２にかかる所在情報管理システムを説明する。所在情報管理システムは、所在情報管理装置１００と、複数のセンサ１０と、複数の端末３０１〜３０３とを備える。複数のセンサ１０は、所在情報管理装置１００に登録されている。複数の端末３０１〜３０３は、所在情報管理装置１００の配下に接続されている。複数の端末３０１〜３０３は、それぞれ、複数の送信先２０１〜２０３に対応している。ここでは、複数の端末３０１〜３０３の数が３台である例を説明するが、複数の端末３０１〜３０３の数は３台に限定されない。所在情報管理システムは、複数の被監視者２０の所在を管理するために用いられる。
【００２３】
図４を参照して、所在情報管理装置１００のハードウェア構成を説明する。所在情報管理装置１００は、ＣＰＵ（Ｃｅｎｔｒａｌ  Ｐｒｏｃｅｓｓｉｎｇ  Ｕｎｉｔ）１８１と、通信装置１８２と、記憶装置１８５とを備える。ＣＰＵ１８１は、プログラム１９０に基づいて所在情報管理装置１００の各種処理を実行する中央制御装置である。通信装置１８２は、有線通信及び無線通信の少なくとも一方を実行する機能を有する。記憶装置１８５は、ハードディスクドライブ又は半導体メモリである。記憶装置１８５は、プログラム１９０、管理者用テーブル１１０、個人別行動パターン１３０、センサ設置場所情報１４０、蓄積情報１５０、及び複数の所在情報１２０を格納する。所在情報管理装置１００は、プログラム１９０に基づいて動作する。
【００２４】
図５を参照して、端末３０１のハードウェア構成を説明する。端末３０１は、例えば、パーソナルコンピュータ、タブレット端末、又は携帯電話機である。端末３０１は、ＣＰＵ３８１と、通信装置３８２と、表示装置３８３と、入力装置３８４と、記憶装置３８５とを備える。ＣＰＵ３８１は、プログラム３９０に基づいて端末３０１の各種処理を実行する中央制御装置である。通信装置３８２は、有線通信及び無線通信の少なくとも一方を実行する機能を有する。表示装置３８３は、例えば、液晶ディスプレイである。入力装置３８４は、キーボード、マウス、又はタッチパッドである。表示装置３８３及び入力装置３８４は、タッチパネルを形成してもよい。記憶装置３８５は、ハードディスクドライブ又は半導体メモリである。記憶装置３８５は、プログラム３９０を格納する。端末３０１は、プログラム３９０に基づいて動作する。端末３０２及び３０３も、端末３０１と同様に構成される。
【００２５】
図６を参照して、所在情報管理装置１００は、プログラム１９０に基づいて、所在情報生成部１０１、所在情報分散管理部１０２、所在情報提供部１０３、接続管理部１０４、記憶部１０５、及び管理者用テーブル設定部１０６を実現する。接続管理部１０４は、ホームゲートウェイ装置が元々有している接続管理機能を活用することで容易に実現することができる。接続管理部１０４は、端末３０１〜３０３と所在情報管理装置１００との接続を管理する。接続管理部１０４は、更に、後述する予備端末３５０〜３５２と所在情報管理装置１００との接続を管理する。記憶部１０５は、管理者用テーブル１１０、複数の所在情報１２０、個人別行動パターン１３０、センサ設置場所情報１４０、及び蓄積情報１５０を格納する。管理者用テーブル設定部１０６は、管理者用テーブル１１０を外部から設定することを可能にする。
【００２６】
複数の所在情報１２０は、複数の被監視者２０の所在をそれぞれ示す。管理者用テーブル１１０は、複数の所在情報１２０を振り分けて送信するために利用される。個人別行動パターン１３０は、センサ１０が検出した被監視者２０を特定するために用いられる。センサ設置場所情報１４０は、複数のセンサ１０の設置場所を登録している。
【００２７】
図７を参照して、個人別行動パターン１３０は、被監視者２０の個人情報１２１及び行動パターン１３１を互いに対応付けている。個人別行動パターン１３０は、予め蓄積される。
【００２８】
図８を参照して、センサ設置場所情報１４０は、センサ１０のセンサＩＤ（識別子）１４１とセンサ１０の設置場所を示す場所情報１２２とを互いに対応付けている。
【００２９】
図９を参照して、実施の形態２にかかる所在情報管理方法を説明する。実施の形態２にかかる所在情報管理方法は、ステップＳ１００、Ｓ１１０、Ｓ１２０、Ｓ１３０、Ｓ１４０、Ｓ１５０、Ｓ１６０、Ｓ１７０、Ｓ１８０を含んでいる。所在情報管理装置１００の記憶部１０５は、管理者用テーブル１１０、個人別行動パターン１３０、及びセンサ設置場所情報１４０を格納している。
【００３０】
ステップＳ１００において、端末３０１は、所在情報管理装置１００の管理者用テーブル設定部１０６を介して、所在情報管理装置１００が保有する管理者用テーブル１１０に分散管理設定情報１１１、管理者端末登録情報１１２、及び管理者端末予備登録情報１１３を設定する。
【００３１】
図１０は、ステップＳ１００において端末３０１の表示装置３８３が表示する分散管理設定情報設定画面を示す。管理者は、端末３０１の入力装置３８４を操作して、分散方法として頻度又は集中を選択する。更に、管理者は、分散方法が集中の場合における具体的分散方法を設定する。例えば、１階玄関ホールに設置されたセンサ１０により検出された被監視者２０の所在を端末３０１で管理するように設定し、２階医務室に設置されたセンサ１０により検出された被監視者２０の所在を端末３０２で管理するように設定し、１階食堂に設置されたセンサ１０により検出された被監視者２０の所在を端末３０３で管理するように設定する。
【００３２】
図１１は、ステップＳ１００において端末３０１の表示装置３８３が表示する管理者端末登録情報設定画面を示す。管理者は、端末３０１の入力装置３８４を操作して、端末３０１〜３０３を登録する。
【００３３】
図１２は、ステップＳ１００において端末３０１の表示装置３８３が表示する管理者端末予備登録情報設定画面を示す。管理者は、端末３０１の入力装置３８４を操作して、予備端末３５０〜３５２を登録する。尚、予備端末３５０〜３５２の各々は、端末３０１と同様に構成されている。
【００３４】
図１３を参照して、端末３０１による設定後の管理者用テーブル１１０は、分散管理設定情報１１１、管理者端末登録情報１１２、及び管理者端末予備登録情報１１３を含む。分散管理設定情報１１１は、図１０に示される分散管理設定情報設定画面を用いて設定された。管理者端末登録情報１１２は、図１１に示される管理者端末登録情報設定画面を用いて設定された。管理者端末予備登録情報１１３は、図１２に示される管理者端末予備登録情報設定画面を用いて設定された。
【００３５】
分散管理設定情報１１１は、複数の被監視者２０の所在の管理を分散するために用いられる。分散管理設定情報１１１において、分散方法として頻度が設定されている。更に、分散管理設定情報１１１において、分散方法として集中が設定された場合のために、端末３０１〜３０３の端末ＩＤ１１５とセンサ１０のセンサＩＤ１４１との対応関係が登録されている。具体的には、端末３０１の端末ＩＤ１１５と１階玄関ホールに設置されたセンサ１０のセンサＩＤ１４１とが互いに関連付けられ、端末３０２の端末ＩＤ１１５と２階医務室に設置されたセンサ１０のセンサＩＤ１４１とが互いに関連付けられ、端末３０３の端末ＩＤ１１５と、１階食堂に設置されたセンサ１０のセンサＩＤ１４１とが互いに関連付けられている。
【００３６】
管理者端末登録情報１１２は、本実施の形態にかかる所在情報管理方法で使用される端末３０１〜３０３を管理するために用いられる。管理者端末登録情報１１２は、端末３０１〜３０３の端末ＩＤ１１５を登録している。管理者端末予備登録情報１１３は、本実施の形態にかかる所在情報管理方法で使用される予備端末３５０〜３５２を管理するために用いられる。管理者端末予備登録情報１１３は、予備端末３５０〜３５２の予備端末ＩＤ１１６を登録している。
【００３７】
ここでは、端末３０１を用いて管理者用テーブル１１０の設定を行う場合を説明したが、所在情報管理装置１００の配下に接続されている他の端末３０２又は３０３を用いて管理者用テーブル１１０の設定を行うことも可能である。
【００３８】
ステップＳ１１０において、所在情報管理装置１００の接続管理部１０４は、所在情報管理装置１００の配下に接続されている全ての端末と管理者端末登録情報１１２を比較して、所在情報管理装置１００の配下に接続されている端末３０１〜３０３の台数を確認する。所在情報管理装置１００がホームゲートウェイ装置であるため、所在情報管理装置１００の配下に接続されている端末の確認は、ネットワーク機器の一般的な機能により実行することができる。
【００３９】
ステップＳ１２０において、センサ１０は、そのセンサ１０の監視領域内にいる被監視者２０の動作情報１４２を検出する。複数のセンサ１０は、複数の被監視者２０の動作情報１４２を検出する。ステップＳ１３０において、センサ１０は、動作情報１４２を所在情報管理装置１００に送信する。ここで、特定小電力無線やＢｌｕｅｔｏｏｔｈ（登録商標）等を用いて動作情報１４２を送信することができる。ただし、動作情報１４２を送信する方法はこれらの方法に限定されない。
【００４０】
図１４を参照して、センサ１０は、動作情報１４２と自身のセンサＩＤ１４１とを関連付けて所在情報管理装置１００に送信する。
【００４１】
ステップＳ１４０において、所在情報生成部１０１は、複数の被監視者２０の動作情報１４２に基づいて、複数の被監視者２０の所在をそれぞれ示す複数の所在情報１２０を生成する。具体的には、所在情報生成部１０１は、動作情報１４２と個人別行動パターン１３０の行動パターン１３１とを比較し、比較結果に基づいて、動作情報１４２が検出された被監視者２０に対応する個人情報１２１を特定する。所在情報生成部１０１は、動作情報１４２と一緒に送信されたセンサＩＤ１４１とセンサ設置場所情報１４０に基づいて、動作情報１４２が検出された被監視者２０の所在を示す場所情報１２２を特定する。所在情報生成部１０１は、特定した個人情報１２１と特定した場所情報１２２を互いに対応付ける所在情報１２０を生成する。ここで、所在情報生成部１０１は、新たに生成した所在情報１２０と同一の被監視者２０についての既存の所在情報１２０を削除する。したがって、所在情報１２０は、被監視者２０の最新の所在を示す。尚、所在情報生成部１０１は、動作情報１４２が検出された被監視者２０に対応する個人情報１２１を特定することができなかった場合、所在情報１２０を生成しない。所在情報管理装置１００が動作情報１４２に対応する被監視者２０を特定するため、端末３０１〜３０３の各々が個人別行動パターン１３０を保有する必要がない。
【００４２】
図１５を参照して、所在情報生成部１０１は、検出された動作情報１４２に基づいて所在情報１２０を新たに生成する度に、その所在情報１２０の個人情報１２１とその所在情報１２０を生成した日時を示す日時情報１５１を蓄積情報１５０に追加登録する。尚、日時情報１５１は、センサ１０が動作情報１４２を検出した日時、又は、所在情報生成装置１００が動作情報１４２を受信した日時を示してもよい。したがって、蓄積情報１５０は、複数の被監視者２０について、複数のセンサ１０によって動作情報１４２が検出される個人別頻度を示す。
【００４３】
ステップＳ１５０において、所在情報分散管理部１０２は、複数の所在情報１２０を端末３０１〜３０３に振り分け、所在情報提供部１０３は、各所在情報１２０をその所在情報が振り分けられた端末３０１、３０２、又は３０３から閲覧できるように設定する。ここで、分散管理設定情報１１１において分散方法として頻度が設定されているため、所在情報分散管理部１０２は、蓄積情報１５０に示される動作情報１４２検出の個人別頻度に基づいて、複数の所在情報１２０を管理者端末登録情報１１２に登録された端末３０１〜３０３に振り分ける。以下、端末３０１〜３０３の台数が３台、被監視者２０の人数が９０人の例について説明する。
【００４４】
所在情報分散管理部１０２は、蓄積情報１５０を参照して、動作情報１４２が検出される頻度に基づいて被監視者２０をグループ分けする。例えば、一日当たりの動作情報１４２が検出される回数が３００回以上の被監視者２０をＡグループに、２００回以上３００回未満の被監視者２０をＢグループに、２００回未満の被監視者２０をＣグループにグループ分けする。所在情報分散管理部１０２は、Ａグループの被監視者２０の所在情報１２０を端末３０１〜３０３に均等に振り分け、Ｂグループの被監視者２０の所在情報１２０を端末３０１〜３０３に均等に振り分け、Ｃグループの被監視者２０の所在情報１２０を端末３０１〜３０３に均等に振り分ける。例えば、Ａグループが１５人、Ｂグループが４５人、Ｃグループが３０人だった場合、端末３０１〜３０３の各々にＡグループから５人、Ｂグループから１５人、Ｃグループから１０人が割り当てられる。ここで、動作情報１４２が検出される頻度が高い被監視者２０を管理する負担は大きい。センサ１０によって動作情報１４２が検出される個人別頻度に基づいて複数の所在情報１２０を端末３０１〜３０３に振り分けることで、端末３０１〜３０３をそれぞれ用いて被監視者２０の所在を管理する複数の管理者の負担を均等にすることができる。分散管理設定情報１１１において分散方法として頻度が設定されている場合、被監視者２０が一の場所から他の場所へ移動しても一台の端末でその被監視者２０の所在を監視することができる。
【００４５】
一方、分散管理設定情報１１１において分散方法として集中が設定されている場合、所在情報分散管理部１０２は、分散方法設定情報１１１及びセンサ設置場所情報１４０に基づいて、複数の所在情報１２０を端末３０１〜３０３に振り分ける。より詳細には、所在情報分散管理部１０２は、分散方法設定情報１１１が示す複数のセンサ１０のセンサＩＤ１４１と端末３０１〜３０３の端末ＩＤ１１５との対応関係と、センサ設置場所情報１４０が示すセンサＩＤ１４１と場所情報１２２との対応関係とに基づいて、複数の所在情報１２０を端末３０１〜３０３に振り分ける。このようにすることで、管理したい場所に設置されたセンサ１０が出力した動作情報１４２に基づいて検出された被監視者２０の所在を、端末３０１〜３０３のうちの特定の端末に管理させることが可能である。この場合も所在情報管理装置１００が動作情報１４２に対応する被監視者２０を特定するため、端末３０１〜３０３の各々が個人別行動パターン１３０を保有する必要がない。
【００４６】
尚、分散方法設定情報１１１は、場所情報１２２と端末３０１〜３０３の端末ＩＤ１１５との対応関係を登録していてもよい。この場合、所在情報分散管理部１０２は、分散方法設定情報１１１が示す場所情報１２２と端末３０１〜３０３の端末ＩＤ１１５との対応関係に基づいて、複数の所在情報１２０を端末３０１〜３０３に振り分ける。
【００４７】
ステップＳ１６０において、管理者が端末３０１の入力装置３８４を操作すると、端末３０１の通信装置３８２は、所在情報要求を所在情報管理装置１００に送信する。所在情報管理装置１００の所在情報提供部１０３は、所在情報要求に応答して、端末３０１に振り分けられた所在情報１２０を端末３０１に送信する。端末３０１の表示装置３８３は、所在情報１２０を表示する。
【００４８】
図１６は、端末３０１の表示装置３８３が表示する所在情報１２０の表示画面の一例を示す。表示装置３８３は、一の所在情報１２０の個人情報１２１及び場所情報１２２に基づいて、氏名「ＸＸＸＸ」の被監視者２０の所在が「１階玄関ホール」であることを表示し、他の所在情報１２０の個人情報１２１及び場所情報１２２に基づいて、氏名「ＹＹＹＹ」の所在が「２Ｆトイレ」であることを表示する。
【００４９】
ステップＳ１７０において、端末３０２は、端末３０１の場合と同様に、所在情報提供装置１００が送信した所在情報１２０を表示する。ステップＳ１８０において、端末３０３は、端末３０１の場合と同様に、所在情報提供装置１００が送信した所在情報１２０を表示する。尚、端末３０１〜３０３のうちの複数の端末に同一の所在情報１２０が送信されることはない。
【００５０】
本実施形態によれば、管理者用テーブル１１０を用いることで、所在情報管理装置１００の配下に接続された端末であって所在情報１２０を表示可能な表示装置を備えた端末を、被監視者２０の所在の管理に用いられる管理者端末として設定可能である。所在情報管理装置１００としてホームゲートウェイ装置を用いることで、所在情報管理装置１００の配下に接続された端末３０１〜３０３を管理者端末として設定することが容易である。
【００５１】
次に、図１７を参照して、管理者端末登録情報１１２に登録されている端末と所在情報管理装置１００の接続が何らかの原因で切断された場合の処理を説明する。ここでは、端末３０１と所在情報管理装置１００の接続が切断された場合に、端末３０１から管理者端末予備登録情報１１３に登録されている予備端末３５０に所在情報２０の管理が自動的に切り替わる例を説明する。実施の形態２にかかる所在情報管理方法は、ステップＳ２００、Ｓ２１０、Ｓ２２０、Ｓ２３０、Ｓ２４０、Ｓ２５０、Ｓ２６０を含んでいる。
【００５２】
ステップＳ２００において、端末３０１が何らかの事由により故障し、そのために端末３０１と所在情報管理装置１００との接続が切断する。ステップＳ２１０において、所在情報管理装置１００の接続管理部１０４は、端末３０１と所在情報管理装置１００との接続が切断したことを検出する。ステップＳ２２０において、接続管理部１０４は、管理者端末予備登録情報１１３に登録されている予備端末３５０が所在情報管理装置１００の配下に接続されていることを確認する。
【００５３】
ステップＳ２３０において、所在情報管理装置１００の所在情報分散管理部１０２は、複数の所在情報１２０を端末３０２、端末３０３、及び予備端末３５０に振り分け、所在情報提供部１０３は、各所在情報１２０をその所在情報が振り分けられた端末３０２、端末３０３、又は予備端末３５０から閲覧できるように設定する。尚、振り分けの具体的方法は、端末３０１が予備端末３５０で置き換えられる点を除いて、ステップＳ１５０と同様である。
【００５４】
ステップＳ２４０において、端末３０２は、ステップＳ１７０と同様に、所在情報提供装置１００が送信した所在情報１２０を表示する。ステップＳ２５０において、端末３０３は、ステップＳ１８０と同様に、所在情報提供装置１００が送信した所在情報１２０を表示する。ステップＳ２６０において、予備端末３５０は、ステップＳ１６０における端末３０１の場合と同様に、所在情報提供装置１００が送信した所在情報１２０を表示する。これにより、予備端末３５０を用いて被管理者２０の所在を管理することができる。
【００５５】
尚、管理者用テーブル１１０の管理者端末予備登録情報１１３に予備端末が一台も登録されていない場合、又は、管理者端末予備登録情報１１３に登録された全ての予備端末３５０〜３５２が所在情報管理装置１００の配下に接続されていない場合（Ｓ２２０）、所在情報管理装置１００の所在情報分散管理部１０２は、端末３０１に割り当てられていた所在情報１２０を残りの端末３０２及び３０３に均等に振り分ける（Ｓ２３０）。
【００５６】
本実施形態によれば、端末３０１と所在情報管理装置１００との接続が切断された場合であっても、被管理者２０の所在の管理が停止することが防止される。所在情報管理装置１００としてホームゲートウェイ装置を用いることで、端末３０１と所在情報管理装置１００との接続が切断された場合に、端末３０１に割り当てられていた所在管理を別の端末に肩代わりさせることが容易である。
【００５７】
（実施の形態３）
次に、実施の形態３にかかる所在情報管理装置１００及び所在情報管理方法を説明する。以下において、実施の形態２と共通する事項についての説明を省略する。
【００５８】
図１８を参照して、所在情報管理装置１００は、プログラム１９０に基づいて、所在情報生成部１０１、所在情報分散管理部１０２、接続管理部１０４、記憶部１０５、及びＷｅｂ  Ｇｒａｐｈｉｃａｌ  Ｕｓｅｒ  Ｉｎｔｅｒｆａｃｅ（以下、ＷｅｂＧＵＩ）１９３を実現する。
【００５９】
図１９を参照して、端末３０１は、プログラム３９０に基づいて、インターネットブラウザ（以下、ブラウザ）３９３を実現する。端末３０２及び３０３も、端末３０１と同様にブラウザを実現する。
【００６０】
図９を参照して、実施の形態３にかかる所在情報管理方法を説明する。実施の形態３では、端末３０１〜３０３が所在情報管理装置１００のネットワークに接続される。
【００６１】
ステップＳ１００において、端末３０１のブラウザ３９３は、所在情報管理装置１００のＷＥｂＧＵＩ１９３を介して、所在情報管理装置１００が保有する管理者用テーブル１１０に分散管理設定情報１１１、管理者端末登録情報１１２、及び管理者端末予備登録情報１１３を設定する。
【００６２】
ブラウザ３９３は、分散管理設定情報設定画面を表示する。管理者は、ブラウザ３９３を介して、分散方法として頻度又は集中を選択する。更に、管理者は、分散方法が集中の場合における具体的分散方法を設定する。ブラウザ３９３は、管理者端末登録情報設定画面を表示する。管理者は、ブラウザ３９３を介して、端末３０１〜３０３を登録する。ブラウザ３９３は、管理者端末予備登録情報設定画面を表示する。管理者は、ブラウザ３９３を介して、予備端末３５０〜３５２を登録する。
【００６３】
図１３を参照して、本実施の形態においては、端末ＩＤ１１５として、端末３０１〜３０３のＩＰ（Ｉｎｔｅｒｎｅｔ  Ｐｒｏｔｏｃｏｌ）アドレス又はＭＡＣ（Ｍｅｄｉａ  Ａｃｃｅｓｓ  Ｃｏｎｔｒｏｌ）アドレスが登録される。予備端末ＩＤ１１６として、予備端末３５０〜３５２のＩＰアドレス又はＭＡＣアドレスが登録される。
【００６４】
ステップＳ１１０において、所在情報管理装置１００の接続管理部１０４は、所在情報管理装置１００のネットワークに接続されている全ての端末と管理者端末登録情報１１２を比較して、所在情報管理装置１００のネットワークに接続されている端末３０１〜３０３の台数を確認する。ステップＳ１２０、Ｓ１３０、及びＳ１４０は、実施の形態２の場合と同様である。
【００６５】
ステップＳ１５０において、所在情報分散管理部１０２は、複数の所在情報１２０を端末３０１〜３０３に振り分け、ＷｅｂＧＵＩ１９３は、各所在情報１２０をその所在情報が振り分けられた端末３０１、３０２、又は３０３から閲覧できるように設定する。
【００６６】
ステップＳ１６０において、端末３０１のブラウザ３９３は、所在情報要求を所在情報管理装置１００に送信する。所在情報管理装置１００のＷｅｂＧＵＩ１９３は、所在情報要求に応答して、端末３０１に振り分けられた所在情報１２０を端末３０１に送信する。端末３０１のブラウザ３９３は、所在情報１２０を表示する。
【００６７】
ステップＳ１７０において、端末３０２のブラウザは、端末３０１の場合と同様に、所在情報提供装置１００が送信した所在情報１２０を表示する。ステップＳ１８０において、端末３０３のブラウザは、端末３０１の場合と同様に、所在情報提供装置１００が送信した所在情報１２０を表示する。
【００６８】
次に、図１７を参照して、管理者端末登録情報１１２に登録されている端末３０１と所在情報管理装置１００の接続が何らかの原因で切断された場合の処理を説明する。ステップＳ２００、Ｓ２１０、及びＳ２２０は、実施の形態２の場合と同様である。
【００６９】
ステップＳ２３０において、所在情報管理装置１００の所在情報分散管理部１０２は、複数の所在情報１２０を端末３０２、端末３０３、及び予備端末３５０に振り分け、ＷｅｂＧＵＩ１９３は、各所在情報１２０をその所在情報が振り分けられた端末３０２、端末３０３、又は予備端末３５０から閲覧できるように設定する。
【００７０】
ステップＳ２４０において、端末３０２のブラウザは、ステップＳ１７０と同様に、所在情報提供装置１００が送信した所在情報１２０を表示する。ステップＳ２５０において、端末３０３のブラウザは、ステップＳ１８０と同様に、所在情報提供装置１００が送信した所在情報１２０を表示する。ステップＳ２６０において、予備端末３５０のブラウザは、ステップＳ１６０における端末３０１の場合と同様に、所在情報提供装置１００が送信した所在情報１２０を表示する。
【００７１】
本実施の形態においては、ステップＳ１６０、Ｓ１７０、Ｓ１８０、Ｓ２４０、Ｓ２５０、及びＳ２６０は、ＨｙｐｅｒＴｅｘｔ  Ｔｒａｎｓｆｅｒ  Ｐｒｏｔｏｃｏｌ（以下ＨＴＴＰ）を用いて実行される。ＨＴＴＰＧＥＴにより、端末３０１〜３０３及び予備端末３５０から所在情報１２０を閲覧することができる。
【００７２】
本実施の形態によれば、管理者は、端末３０１〜３０３及び予備端末３５０のブラウザを用いて被監視者２０の所在を確認することができる。したがって、端末３０１〜３０３及び予備端末３５０に被監視者２０の所在を管理するための専用のソフトウェアを導入する必要がない。
【００７３】
（実施の形態４）
次に、実施の形態４にかかる所在情報管理装置１００及び所在情報管理方法を説明する。実施の形態４にかかる所在情報管理装置１００及び所在情報管理方法は、以下に説明する事項を除いて、実施の形態２又は３にかかる所在情報管理装置１００及び所在情報管理方法と同様である。
【００７４】
図２０を参照して、実施の形態４にかかる所在情報管理システムを説明する。所在情報管理システムは、所在情報管理装置１００と、複数のセンサ１０（不図示）と、複数の端末３０１〜３０３とを備える。端末３０３は、外部に設けられ、インターネット６００を介して所在情報管理装置１００に接続される。この場合、所在情報管理装置１００と外部に設けられた端末３０３との間の通信にＨＴＴＰＳ（Ｈｙｐｅｒｔｅｘｔ  Ｔｒａｎｓｆｅｒ  Ｐｒｏｔｏｃｏｌ  ｏｖｅｒ  Ｓｅｃｕｒｅ  Ｓｏｃｋｅｔ  Ｌａｙｅｒ）や事前認証を利用することで、セキュリティを確保する。尚、端末３０１、３０２、予備端末３５０〜３５２が外部に設けられ、インターネット６００を介して所在情報管理装置１００に接続されてもよい。
【００７５】
（実施の形態５）
次に、実施の形態５にかかる所在情報管理装置１００及び所在情報管理方法を説明する。実施の形態５にかかる所在情報管理装置１００及び所在情報管理方法は、以下に説明する事項を除いて、実施の形態２乃至４のいずれかにかかる所在情報管理装置１００及び所在情報管理方法と同様である。
【００７６】
図２１を参照して、実施の形態５にかかる所在情報管理システムを説明する。所在情報管理システムは、所在情報管理装置１００と、複数のセンサ１０（不図示）と、外部サーバ７０１と、複数の端末３０１〜３０３とを備える。外部サーバ７０１は、外部に設けられ、インターネット６００を介して所在情報管理装置１００に接続される。所在情報管理装置１００は、電子メール７５０を用いて所在情報１２０を端末３０３に送信する。電子メール７５０は、所在情報管理装置１００からインターネット６００及び外部サーバ７０１を経由して端末３０３に届けられる。この場合、端末３０３の端末ＩＤ１１５として、電子メールアドレスが登録される。所在情報管理装置１００は、端末３０３からの所在情報要求に依存せずに、電子メール７５０を用いて所在情報１２０を端末３０３に送信してもよい。尚、所在情報管理装置１００は、電子メール７５０を用いて所在情報１２０を端末３０１、３０２、予備端末３５０〜３５２に送信してもよい。
【００７７】
（実施の形態６）
次に、実施の形態６にかかる所在情報管理装置１００及び所在情報管理方法を説明する。以下において、実施の形態２乃至５にかかる所在情報管理装置１００及び所在情報管理方法と共通する事項の説明を省略する。
【００７８】
図２２を参照して、実施の形態６にかかる所在情報管理システムを説明する。所在情報管理システムは、所在情報管理装置１００と、複数のＧＰＳ（Ｇｌｏｂａｌ  Ｐｏｓｉｔｉｏｎｉｎｇ  Ｓｙｓｔｅｍ）端末３０と、外部サーバ７０２と、複数の端末３０１〜３０３（不図示）とを備える。複数のＧＰＳ端末３０は、それぞれ、複数の被監視者２０によって携帯される。ＧＰＳ端末３０は、ＧＰＳ衛星８００から受信した信号に基づいて、現在位置を検出する。外部サーバ７０２は、インターネット６００を介して所在情報管理装置１００に接続される。管理装置１００は、ＧＰＳ端末登録情報１６０及び位置場所対応情報１７０を保有する。
【００７９】
図２３を参照して、ＧＰＳ端末登録情報１６０は、ＧＰＳ端末３０のＧＰＳ端末ＩＤと、そのＧＰＳ端末３０を携帯する被監視者２０の個人情報１２１とを対応づけている。
【００８０】
図２４を参照して、位置場所対応情報１７０は、位置情報１７１及び場所情報１２２を互いに対応付けている。位置情報１７１は、少なくとも緯度及び経度を含む。位置情報１７１は、更に高度を含んでもよい。場所情報１２２は、例えば、地名や施設名である。
【００８１】
図２５を参照して、実施の形態６にかかる所在情報管理方法を説明する。実施の形態６にかかる所在情報管理方法は、ステップＳ１００、Ｓ１１０、Ｓ１２５、Ｓ１３５、Ｓ１４０、Ｓ１５０、Ｓ１６０、Ｓ１７０、Ｓ１８０を含んでいる。ステップＳ１００及びＳ１１０は、実施の形態２乃至５のいずれかと同様である。
【００８２】
ステップＳ１２５において、ＧＰＳ端末３０は、ＧＰＳ衛星８００から受信した信号に基づいて、そのＧＰＳ端末３０を携帯する被監視者２０の現在位置を示す位置情報１７１を検出する。ステップＳ１３５において、ＧＰＳ端末３０は、位置情報１７１を外部サーバ７０２及びインターネット６００を経由して所在情報管理装置１００に送信する。
【００８３】
図２６を参照して、ＧＰＳ端末３０は、位置情報１７１と自身のＧＰＳ端末ＩＤ１６１とを関連付けて所在情報管理装置１００に送信する。
【００８４】
ステップＳ１４０において、所在情報生成部１０１は、複数のＧＰＳ端末３０が送信した位置情報１７１に基づいて、複数の被監視者２０の所在をそれぞれ示す複数の所在情報１２０を生成する。具体的には、所在情報生成部１０１は、ＧＰＳ端末３０が送信した位置情報１７１と位置場所対応情報１７０に基づいて、ＧＰＳ端末３０を携帯する被監視者２０の所在を示す場所情報１２２を特定する。所在情報生成部１０１は、位置情報１７１と一緒に送信されたＧＰＳ端末ＩＤ１６１とＧＰＳ端末登録情報１６０に基づいて、ＧＰＳ端末３０を携帯する被監視者２０に対応する個人情報１２１を特定する。所在情報生成部１０１は、特定した個人情報１２１と特定した場所情報１２２を互いに対応付ける所在情報１２０を生成する。
【００８５】
ステップＳ１５０において、所在情報分散管理部１０２は、複数の所在情報１２０を端末３０１〜３０３に振り分ける。ここで、分散管理設定情報１１１において分散方法として頻度が設定されている場合、所在情報分散管理部１０２は、実施の形態２乃至５のいずれかの場合と同様に、複数の所在情報１２０を端末３０１〜３０３に振り分ける。
【００８６】
一方、分散管理設定情報１１１において分散方法として集中が設定されている場合、所在情報分散管理部１０２は、以下に説明するように、複数の所在情報１２０を端末３０１〜３０３に振り分ける。ここで、分散方法設定情報１１１は、場所情報１２２と端末３０１〜３０３の端末ＩＤ１１５との対応関係を登録している。所在情報分散管理部１０２は、分散方法設定情報１１１が示す場所情報１２２と端末ＩＤ１１５との対応関係に基づいて、複数の所在情報１２０を端末３０１〜３０３に振り分ける。
【００８７】
ステップ１６０乃至１８０は、実施の形態２乃至５のいずれかの場合と同様である。
【００８８】
本実施の形態によれば、屋外にいる被監視者２０の所在を確認することができる。尚、所在情報１２０は、個人情報１２１と位置情報１７１を対応付けた情報であってもよい。この場合のステップＳ１４０及びＳ１５０を説明する。ステップＳ１４０において、所在情報生成部１０１は、位置情報１７１と一緒にＧＰＳ端末３０から送信されたＧＰＳ端末ＩＤ１６１とＧＰＳ端末登録情報１６０に基づいて、ＧＰＳ端末３０を携帯する被監視者２０に対応する個人情報１２１を特定する。所在情報生成部１０１は、特定した個人情報１２１とＧＰＳ端末３０から送信された位置情報１７１を互いに対応付ける所在情報１２０を生成する。ステップＳ１５０において、所在情報分散管理部１０２は、分散方法として頻度が設定された分散管理設定情報１１１に基づいて、複数の所在情報１２０を端末３０１〜３０３に振り分ける。
【００８９】
上述した例において、プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９０】
なお、本発明は上記実施の形態に限られたものではなく、趣旨を逸脱しない範囲で適宜変更することが可能である。
【符号の説明】
【００９１】
１０  センサ
２０  被監視者
１００  所在情報管理装置
１０１  所在情報生成部
１０２  所在情報分散管理部
１０３  所在情報提供部
１０４  接続管理部
１０５  記憶部
１１０  管理者用テーブル
１２０  所在情報
１２１  個人情報
１２２  場所情報
１３０  個人別行動パターン
１３１  行動パターン
２０１〜２０３  送信先
３０１〜３０３  端末
３５０〜３５２  予備端末
【図１】
2014131242.tif 000003
【図２】
2014131242.tif 000004
【図３】
2014131242.tif 000005
【図４】
2014131242.tif 000006
【図５】
2014131242.tif 000007
【図６】
2014131242.tif 000008
【図７】
2014131242.tif 000009
【図８】
2014131242.tif 000010
【図９】
2014131242.tif 000011
【図１０】
2014131242.tif 000012
【図１１】
2014131242.tif 000013
【図１２】
2014131242.tif 000014
【図１３】
2014131242.tif 000015
【図１４】
2014131242.tif 000016
【図１５】
2014131242.tif 000017
【図１６】
2014131242.tif 000018
【図１７】
2014131242.tif 000019
【図１８】
2014131242.tif 000020
【図１９】
2014131242.tif 000021
【図２０】
2014131242.tif 000022
【図２１】
2014131242.tif 000023
【図２２】
2014131242.tif 000024
【図２３】
2014131242.tif 000025
【図２４】
2014131242.tif 000026
【図２５】
2014131242.tif 000027
【図２６】
2014131242.tif 000028